(57)【要約】【課題】昇降棚の収納スペースを大きくすることができ、かつ、使い勝手が良い昇降収納装置を提供する。【解決手段】昇降収納装置２は、収納ケース３と、昇降棚４とを備えている。昇降棚４は、収納ケース３に収納された上限位置とこの上限位置よりも下方の下限位置とに移動可能である。昇降棚４は、収納部７１を有している。収納部７１は、前方に開口し、かつ、上限位置に位置した状態で収納ケース３よりも下方に位置する。【選択図】図３
2020081474.tif 000002
【特許請求の範囲】
【請求項１】
収納ケースと、
前記収納ケースに収納された上限位置とこの上限位置よりも下方の下限位置とに移動可能な昇降棚とを備え、
前記昇降棚は、
前方に開口し、かつ、前記上限位置に位置した状態で前記収納ケースよりも下方に位置する収納部を有した、
昇降収納装置。
【請求項２】
前記収納部は、前方及び後方に開口した、
請求項１に記載の昇降収納装置。
【請求項３】
前記昇降棚は、
左前縦フレーム材と、
前記左前縦フレーム材よりも右方に位置した右前縦フレーム材と、
前記左前縦フレーム材よりも後方に位置した左後縦フレーム材と、
前記右前縦フレーム材よりも後方に位置し、かつ、前記左後縦フレーム材よりも右方に位置した右後縦フレーム材とを有し、
前記収納部は、
前記左前縦フレーム材、前記右前縦フレーム材、前記左後縦フレーム材及び前記右後縦フレーム材で囲まれた空間であって、前記左前縦フレーム材と前記右前縦フレーム材との間から前方に開放され、かつ、前記左後縦フレーム材と前記右後縦フレーム材との間から後方に開放された収納空間を有した、
請求項２に記載の昇降収納装置。
【発明の詳細な説明】
【技術分野】
【０００１】
本開示は、昇降収納装置に関する。
【背景技術】
【０００２】
特許文献１には、昇降収納装置が開示されている。この昇降収納装置は、上位置と下位置との間で昇降自在な昇降棚と、上位置にあるときの昇降棚を収納する収納ケースとを備えている。
【先行技術文献】
【特許文献】
【０００３】
【特許文献１】特開２０１７−２０２２４０号公報
【発明の概要】
【発明が解決しようとする課題】
【０００４】
ところで、上記昇降収納装置では、昇降棚の大きさが、収納ケースに収まる大きさであり、昇降棚が有する収納スペースが大きくない。また、昇降棚を上位置に配置した状態では、昇降棚に物品を出し入れすることができず、使い勝手が良くない。
【０００５】
本開示は上記事由に鑑みてなされており、昇降棚の収納スペースを大きくすることができ、かつ、使い勝手が良い昇降収納装置を提供することを目的とする。
【課題を解決するための手段】
【０００６】
本開示の一態様に係る昇降収納装置は、収納ケースと、昇降棚とを備えている。前記昇降棚は、前記収納ケースに収納された上限位置とこの上限位置よりも下方の下限位置とに移動可能である。前記昇降棚は、収納部を有している。前記収納部は、前方に開口し、かつ、前記上限位置に位置した状態で前記収納ケースよりも下方に位置する。
【発明の効果】
【０００７】
本開示の一態様に係る昇降収納装置は、昇降棚の収納スペースを大きくすることができ、かつ、使い勝手を良くすることができる。
【図面の簡単な説明】
【０００８】
【図１】図１は、本開示の一実施形態に係る昇降収納装置を備えた厨房装置の設置状態を示した斜視図である。
【図２】図２は、図１の部分拡大図である。
【図３】図３は、同上の厨房装置であって、昇降棚が上限位置に配置された状態を示した正面図である。
【図４】図４は、同上の昇降棚のブロック図である。
【図５】図５は、本開示の他の実施形態に係る昇降収納装置の正面図である。
【図６】図６は、同上の昇降収納装置の斜視図である。
【図７】図７は、同上の昇降収納装置の縦断面図である。
【発明を実施するための形態】
【０００９】
以下に示す実施形態は、昇降収納装置に関し、詳しくは、昇降棚が収納ケースに収納される上限位置とこの上限位置よりも下方の下限位置との間で移動可能な昇降装置に関する。
【００１０】
（第１実施形態）
まず、第１実施形態について説明する。本実施形態の昇降収納装置２は、例えば、図１に示すように、キッチンルームに設置される厨房装置１の一部を構成する。なお、以下では、厨房装置１及び昇降収納装置２の各々の要素について、設置された状態における方向を用いて説明する。具体的には、厨房装置１から見て厨房装置１の利用者が通常位置する方向を前方とし、かつ、厨房装置１を前方から見たときを基準として左右方向とする。
【００１１】
図１に示す例では、厨房装置１は、窓９０が形成された壁に沿って設置されている。厨房装置１は、昇降収納装置２に加えて、カウンター設備１０及び換気装置１１を具備している。カウンター設備１０は、キッチンルームの壁面、床面又はその両方に対して固定される。カウンター設備１０は、カウンター１２、加熱調理機１３、シンク１４及び水栓１５を備えている。カウンター１２の上面は、カウンター設備１０の上面を構成している。
【００１２】
カウンター１２には、加熱調理機１３、シンク１４及び水栓１５が設置されている。加熱調理機１３は、例えば、電磁誘導加熱調理機である。シンク１４は、加熱調理機１３と左右方向に間隔をあけて並んでいる。カウンター１２の上面において加熱調理機１３とシンク１４との間の部分は、調理作業を行うための平坦な作業面１６を構成している。水栓１５は、カウンター１２の上面におけるシンク１４の近傍部分に設置されており、シンク１４内に水を供給する。
【００１３】
換気装置１１は、例えば、レンジフードであって、カウンター設備１０の上方に間隔をあけて設置される。換気装置１１は、加熱調理機１３の上方に位置し、加熱調理機１３が利用された時に発生した匂い、水蒸気、油煙等を室外に排出する。
【００１４】
本実施形態の昇降収納装置２は、換気装置１１と左右方向に並んだ状態で、カウンター設備１０の上方に間隔をあけて設置される。昇降収納装置２は、収納ケース３を備えている。
【００１５】
本実施形態の収納ケース３は、前方、後方、左方、右方、上方及び下方のうち、下方のみが開口した箱状に形成されており、下面に形成された下開口部３０（図２参照）を有している。
【００１６】
本実施形態の収納ケース３は、左右方向に延びた直方体の箱状に形成されている。具体的に収納ケース３は、前板３１、左右の側板３２，３３、後板３４及び天板３５を有している。後板３４は、前板３１の後方に位置しており、前板３１と後板３４とは対向している。前板３１及び後板３４の各々は、前後方向に見て左右方向に延びた矩形の板状に形成されている。
【００１７】
左右の側板３２，３３は、左右方向に並んでおり、対向している。各側板３２，３３は、左右方向に見て上下方向に延びた矩形の板状に形成されている。左側の側板３２は、前板３１における左側の端部と後板３４における右側の端部とを接続している。右側の側板３３は、前板３１における右側の端部と後板３４における右側の端部とを接続している。
【００１８】
天板３５は、上下方向に見て左右方向に延びた矩形の板状に形成されている。天板３５は、前板３１の上端部、後板３４の上端部、側板３２の上端部及び側板３３の上端部を接続している。天板３５は、前板３１、後板３４及び左右の側板３２，３３で囲まれた領域を上方から覆っている。収納ケース３は、前板３１、左右の側板３２，３３、後板３４及び天板３５で構成された昇降棚収納部を有している。本実施形態の収納ケース３は、前板３１、左右の側板３２、後板３４及び天板３５だけで構成されている。すなわち、昇降棚収納部は収納ケース３である。
【００１９】
昇降収納装置２は、昇降棚４を更に備えている。昇降棚４は、収納ケース３に収納された図３に示す上限位置と、上限位置よりも下方に位置する図２に示す下限位置との間で移動可能である。本実施形態の昇降棚４は、構造体４０と、複数の棚部４１，４２とを有している。構造体４０は、複数のフレーム材４３〜４６を有している。本実施形態の構造体４０は、複数のフレーム材４３〜４６として、左前縦フレーム材４３、右前縦フレーム材４４、左後縦フレーム材４５及び右後縦フレーム材４６を有している。加えて、構造体４０は、複数のフレーム材４７〜５８を更に有している。本実施形態の構造体４０は、複数のフレーム材４７〜５８として、複数の前横フレーム材４７〜４９、複数の後横フレーム材５０〜５２、複数の左横フレーム材５３〜５５及び複数の右横フレーム材５６〜５８を有している。これら複数のフレーム材４３〜５８の各々は、例えば、金属製である。
【００２０】
左前縦フレーム材４３、右前縦フレーム材４４、左後縦フレーム材４５及び右後縦フレーム材４６の各々は、上下方向に直線状に延びている。複数の前横フレーム材４７〜４９及び複数の後横フレーム材５０〜５２の各々は、左右方向に直線状に延びている。複数の左横フレーム材５３〜５５及び複数の右横フレーム材５６〜５８の各々は、前後方向に直線状に延びている。
【００２１】
左前縦フレーム材４３と右前縦フレーム材４４とは、左右方向に間隔をあけて並んでおり、右前縦フレーム材４４は、左前縦フレーム材４３よりも右方に位置している。左前縦フレーム材４３と左後縦フレーム材４５とは前後方向に並んでおり、左後縦フレーム材４５は、左前縦フレーム材４３よりも後方に位置している。左後縦フレーム材４５と右後縦フレーム材４６とは、左右方向に間隔をあけて並んでおり、右後縦フレーム材４６は、左後縦フレーム材４５よりも右方に位置している。右前縦フレーム材４４と右後縦フレーム材４６とは、前後方向に間隔をあけて並んでおり、右後縦フレーム材４６は、右前縦フレーム材４４よりも後方に位置している。
【００２２】
複数の前横フレーム材４７〜４９は、上下方向に間隔をあけて並んでいる。本実施形態の構造体４０は、三つの前横フレーム材４７〜４９を有している。各前横フレーム材４７〜４９は、左前縦フレーム材４３と右前縦フレーム材４４とを接続している。
【００２３】
複数の後横フレーム材５０〜５２は、上下方向に間隔をあけて並んでいる。本実施形態の構造体４０は、三つの後横フレーム材５０〜５２を有している。各後横フレーム材５０〜５２は、左後縦フレーム材４５と右後縦フレーム材４６とを接続している。
【００２４】
複数の左横フレーム材５３〜５５は、上下方向に間隔をあけて並んでいる。本実施形態の構造体４０は、三つの左横フレーム材５３〜５５を有している。各左横フレーム材５３〜５５は、左前縦フレーム材４３と左後縦フレーム材４５とを接続している。
【００２５】
複数の右横フレーム材５６〜５８は、上下方向に間隔をあけて並んでいる。本実施形態の構造体４０は、三つの右横フレーム材５６〜５８を有している。各右横フレーム材５６〜５８は、右前縦フレーム材４４と右後縦フレーム材４６とを接続している。
【００２６】
構造体４０は、複数の棚部４１，４２がそれぞれ設置される複数の棚部設置部６１，６２を有している。本実施形態の構造体４０は、複数の棚部設置部６１，６２として、第１棚部設置部６１と、第２棚部設置部６２との二つの棚部設置部６１，６２を有している。
【００２７】
第１棚部設置部６１は、構造体４０の下端部に位置しており、上方から見て矩形枠状に形成されている。具体的に第１棚部設置部６１は、構造体４０においても最も下に位置する、前横フレーム材４７、後横フレーム材５０、左横フレーム材５３及び右横フレーム材５６を含む。加えて、第１棚部設置部６１は、左前縦フレーム材４３、右前縦フレーム材４４、左後縦フレーム材４５及び右後縦フレーム材４６の各々の下端部を含む。
【００２８】
第２棚部設置部６２は、構造体４０の上下方向の中間部に位置しており、上方から見て矩形枠状に形成されている。具体的に第２棚部設置部６２は、構造体４０において下から２番目に位置する、前横フレーム材４８、後横フレーム材５１、左横フレーム材５４及び右横フレーム材５７を含む。加えて、第２棚部設置部６２は、左前縦フレーム材４３、右前縦フレーム材４４、左後縦フレーム材４５及び右後縦フレーム材４６の各々の上下方向の中間部を含む。
【００２９】
構造体４０には、複数の棚部４１，４２が設置されている。複数の棚部４１，４２は、上下方向に間隔をあけて並んでいる。本実施形態の昇降棚４は、複数の棚部４１，４２として、第１棚部４１と、第１棚部４１の上方に位置する第２棚部４２との二つの棚部４１，４２を有している。第１棚部４１及び第２棚部４２は、第１棚部設置部６１及び第２棚部設置部６２にそれぞれ設置されている。
【００３０】
昇降棚４は、複数の収納部７１，７２を有している。本実施形態の昇降棚４は、複数の収納部７１，７２として、第１収納部７１と、第２収納部７２との２つの収納部７１，７２を有している。
【００３１】
本実施形態の第１収納部７１は、第１棚部４１と、構造体４０における第２棚部４２よりも下方に位置する部分とで構成されている。ここで、構造体４０における第２棚部４２よりも下方に位置する部分は、左前縦フレーム材４３、右前縦フレーム材４４、左後縦フレーム材４５及び右後縦フレーム材４６の各々の第２棚部４２よりも下方に位置する部分を含む。加えて、当該部分は、最も下に位置する、前横フレーム材４７、後横フレーム材５０、左横フレーム材５３及び右横フレーム材５６を含む。
【００３２】
本実施形態の第２収納部７２は、第２棚部４２と、構造体４０における第２棚部４２よりも上方に位置する部分とで構成されている。ここで、構造体４０における第２棚部４２よりも上方に位置する部分は、左前縦フレーム材４３、右前縦フレーム材４４、左後縦フレーム材４５及び右後縦フレーム材４６の各々の第２棚部４２よりも上方に位置する部分を含む。加えて、当該部分は、下から２番目及び最も上に位置する、前横フレーム材４８，４９、後横フレーム材５１，５２、左横フレーム材５４，５５及び右横フレーム材５７，５８を含む。
【００３３】
第１収納部７１及び第２収納部７２の各々は、物品９１を収納可能な収納空間７１０，７２０を有している。以下、第１収納部７１の収納空間７１０を第１収納空間７１０といい、第２収納部７２の収納空間７２０を第２収納空間７２０という。
【００３４】
第１収納空間７１０は、第１棚部４１、第２棚部４２、左前縦フレーム材４３、右前縦フレーム材４４、左後縦フレーム材４５及び右後縦フレーム材４６で囲まれた空間である。第１収納空間７１０は、前後左右の四方が開放された空間である。すなわち、第１収納部７１は、前方、後方、左方及び右方に開口している。
【００３５】
具体的に第１収納空間７１０は、左前縦フレーム材４３と右前縦フレーム材４４との間から前方に開放され、左後縦フレーム材４５と右後縦フレーム材４６との間から後方に開放されている。また、第１収納空間７１０は、左前縦フレーム材４３と左後縦フレーム材４５との間から左方に開放されており、右前縦フレーム材４４と右後縦フレーム材４６との間から右方に開放されている。
【００３６】
第２収納空間７２０は、第２棚部４２、左前縦フレーム材４３、右前縦フレーム材４４、左後縦フレーム材４５、右後縦フレーム材４６、前横フレーム材４９、後横フレーム材５２、左横フレーム材５５及び右横フレーム材５８で囲まれた空間である。第２収納空間７２０は、前後左右の四方及び上方が開放された空間である。すなわち、第２収納部７２は、前方、後方、左方、右方及び上方に開口している。
【００３７】
具体的に第２収納空間７２０は、左前縦フレーム材４３と右前縦フレーム材４４との間から前方に開放され、左後縦フレーム材４５と右後縦フレーム材４６との間から後方に開放されている。また、第２収納空間７２０は、左前縦フレーム材４３と左後縦フレーム材４５との間から左方に開放されており、右前縦フレーム材４４と右後縦フレーム材４６との間から右方に開放されている。また、第２収納空間７２０は、前横フレーム材４９と後横フレーム材５２との間から上方に開放されている。
【００３８】
上記のように第１収納部７１は、前後左右の四方に開口し、第２収納部７２は、前後左右の四方及び上方に開口している。このため、第１収納部７１及び第２収納部７２の各々の通気性が良い。また、第１収納部７１及び第２収納部７２の各々は、光を遮り難い。このため、例えば、図２に示すように、昇降棚４が下限位置に位置したとき、昇降棚４の後方に設けられた窓９０等の透光部から十分な量の光を取り込むことができ、キッチンルームが明るくなりやすい。
【００３９】
本実施形態の第１棚部４１は、第１部分４１１と第２部分４１２とを有している。第１部分４１１と第２部分４１２とは左右方向に並んでおり、第２部分４１２は第１部分４１１の右側に位置している。
【００４０】
第１部分４１１は、水平面に沿って広がった板状の部分であり、平坦な上面を有している。第１部分４１１は、カウンター１２の作業面１６（図１参照）の上方に位置している。第１部分４１１には、上下方向に貫通した貫通孔が形成されていない。このため、例えば、第１部分４１１に載せられた食器等の物品９１から水等の液体が落下したとしても、この液体は第１部分４１１で受けられて、作業面１６に落下し難くい。
【００４１】
第２部分４１２は、水平面に沿って広がり、かつ、複数の貫通孔４１３が形成された部分である。本実施形態の第２部分４１２は、水平面に沿って広がり、かつ、上方から見て、全体に多数の貫通孔４１３が形成された網状に形成されている。第２部分４１２の各貫通孔４１３は、上下方向に貫通しており、空気が通りやすい。このため、例えば、第２部分４１２に載せられた食器等の物品９１は、乾きやすい。また、本実施形態の第２部分４１２は、カウンター１２に設置されたシンク１４（図１参照）の上方に位置している。このため、第２部分４１２の貫通孔４１３を通じて落下した液体は、シンク１４で受けられやすい。
【００４２】
本実施形態の第２棚部４２は、水平面に沿って広がった板状の部分であり、平坦な上面を有している。なお、第２棚部４２は、第１棚部４１と同様、第１部分４１１及び第２部分４１２を有してもよい。
【００４３】
昇降収納装置２は、支持機構２０（図１参照）を更に備えている。支持機構２０は、収納ケース３に取り付けられ、昇降棚４を昇降可能に支持している。本実施形態の支持機構２０は、昇降棚４を自動で昇降する昇降装置である。昇降装置は、例えば、モーター、巻取ドラム及び索を有する。この昇降装置は、モーターによって巻取ドラムを駆動し、この巻取りドラムによって昇降棚４に連結された索を巻き取ったり繰り出したりすることで、昇降棚４を昇降する。
【００４４】
昇降棚４が収納ケース３に対して移動可能な範囲は、昇降棚４の一部が収納ケース３に収納された図３に示す上限位置から、昇降棚４が収納ケース３の下開口部３０から下方に突出した図２に示す下限位置までの範囲に限られている。
【００４５】
昇降棚４が図２に示す下限位置に位置したとき、構造体４０の略全体が収納ケース３の下開口部３０から下方に向かって突出する。昇降棚４が図３に示す上限位置に位置したとき、構造体４０は、その下端部に位置する第１収納部７１だけが収納ケース３から下方に突出し、構造体４０における第２収納部７２を含んだ第１収納部７１よりも上方の部分は、収納ケース３に収納される。
【００４６】
昇降収納装置２は、支持機構２０を操作するための操作機２１（図１参照）を更に備えている。本実施形態の操作機２１は、支持機構２０を遠隔操作するリモートコントローラーである。操作機２１は、図４に示すように、利用者によって操作される操作部２２と、操作部２２の操作に応じた操作信号を出力する送信部２３とを有している。操作部２２は、例えば、昇降棚４（図１参照）を上限位置まで上昇させる際に操作される上昇釦、昇降棚４を下限位置まで下降させる際に操作される下降釦等を含む。
【００４７】
本実施形態の昇降収納装置２は、送信部２３から送信された操作信号を受ける受信部２４と、受信部２４に電気的に接続された制御部２５とを有している。制御部２５は、受信部２４で受信した操作信号に応じて、支持機構２０を駆動する。利用者は、操作機２１を操作し、支持機構２０を駆動して昇降棚４を昇降することで、昇降棚４を図３に示す上限位置と、図２に示す下限位置とに移動することができる。
【００４８】
昇降棚４が図２に示す下限位置に位置したとき、第１収納部７１及び第２収納部７２は、収納ケース３の下方において収納ケース３の外部に露出する。このため、利用者は、第１収納部７１及び第２収納部７２の各々に対して物品９１を出し入れすることができる。
【００４９】
また、昇降棚４が図３に示す上限位置に位置したとき、第２収納部７２は収納ケース３に収納され、収納ケース３によって隠される。このため、利用者は、第２収納部７２に収納された物品９１を収納ケース３内に収めることができる。
【００５０】
本実施形態の昇降収納装置２は、昇降棚４が上限位置に位置したとき、第１収納部７１が収納ケース３よりも下方に位置する。このため、昇降棚４の全体が収納ケース３に収納される場合と比較して、昇降棚４における物品９１を収納するためのスペースを大きくすることができる。
【００５１】
また、昇降棚４が上限位置に位置したとき、第１収納部７１は収納ケース３の下方において収納ケース３の外部に露出する。このため、利用者は、昇降棚４が上限位置に位置したときにも、第１収納部７１に対して物品９１を出し入れすることができる。例えば、第１収納部７１に頻繁に利用する調理器具等の物品９１を仮置き等することができて使い勝手がよい。また、第１収納部７１に収納された物品９１は、昇降棚４が上限位置又は下限位置のいずれに位置したときでも、収納ケース３の外部に露出する。このため、第１収納部７１に見栄えの良い調理器具等の物品９１を置いてディスプレイすることもできる。特に本実施形態のように、第１収納部７１が前方だけでなく、後方にも開口している場合、第１収納部７１の後方に位置する窓９０等から入って来た光により、第１収納部７１に収納された物品９１を照らして、見栄えを良くすることもできる。
【００５２】
（第２実施形態）
次に第２実施形態の昇降収納装置２Ａについて説明する。図５〜図７に示す本実施形態の昇降収納装置２Ａは、昇降棚４Ａを支持する支持機構２０Ａが、リンク機構２０３Ａを有している。昇降棚４Ａは、利用者の力で動かされることにより、収納ケース３Ａに収納された上限位置と、上限位置の前斜め下方に位置する下限位置とに移動する。
【００５３】
本実施形態の昇降収納装置２Ａは、例えば、図１に示す第１実施形態の厨房装置１において、昇降収納装置２に代わって用いられる。図５及び図６に示すように、昇降収納装置２Ａは、収納ケース３Ａを備えている。収納ケース３Ａは、前方、後方、左方、右方、上方及び下方のうち、下方及び前方のみが開口した箱状に形成されており、下面に形成された下開口部３０Ａと、前面に形成された前開口部３６Ａとを有している。
【００５４】
本実施形態の収納ケース３Ａは、上下方向に延びた直方体の箱状に形成されている。具体的に収納ケース３Ａは、左右の側板３２Ａ，３３Ａ、後板３４Ａ及び天板３５Ａを有している。
【００５５】
左右の側板３２Ａ，３３Ａは、左右方向に並んでおり、対向している。各側板３２Ａ，３３Ａは、左右方向に見て上下方向に延びた矩形の板状に形成されている。後板３４Ａは、前後方向に見て上下方向に延びた矩形の板状に形成されており、左側の側板３２Ａの後端部と、右側の側板３３Ａの後端部とを接続している。
【００５６】
天板３５Ａは、上下方向に見て左右方向に延びた矩形の板状に形成されている。天板３５Ａは、左側の側板３２Ａの上端部、後板３４Ａの上端部及び右側の側板３３Ａの上端部を接続している。天板３５Ａは、左右の側板３２Ａ，３３Ａと後板３４Ａとで囲まれた領域を上方から覆っている。
【００５７】
収納ケース３Ａは、左右の側板３２Ａ，３３Ａ、後板３４Ａ及び天板３５Ａで構成された昇降棚収納部を有している。本実施形態の収納ケース３は、左右の側板３２Ａ，３３Ａ、後板３４Ａ及び天板３５Ａだけで構成されている。すなわち、昇降棚収納部は収納ケース３Ａである。
【００５８】
本実施形態の昇降収納装置２Ａは、収納ケース３Ａの前開口部３６Ａを開閉する扉２６Ａを更に有している。扉２６Ａは、観音扉であり、一対の扉材２６０Ａ，２６１Ａを有している。一対の扉材２６０Ａ，２６１Ａは、それぞれ、収納ケース３Ａの左右の側板３２Ａ，３３Ａに、上下方向と平行な回転軸回りに回転可能に連結されている。
【００５９】
昇降収納装置２Ａは、昇降棚４Ａを更に備えている。昇降棚４Ａは、図７に実線で示した上限位置と、図７に二点鎖線で示した下限位置との間で移動可能である。図６に示すように、本実施形態の昇降棚４Ａは、棚部４１Ａ、取手部８０Ａ、左前縦フレーム材４３Ａ、右前縦フレーム材４４Ａ、左後縦フレーム材４５Ａ、右後縦フレーム材４６Ａ及び箱状部８１Ａを有している。以下、棚部４１Ａを第１棚部４１Ａという。第１棚部４１Ａは、上下方向に見て左右方向に延びた矩形状で、かつ、水平面に沿って延びた板状に形成されている。
【００６０】
第１棚部４１Ａの前端部には、取手部８０Ａが接続されている。本実施形態の取手部８０Ａは、左右方向に直線状に延びており、第１棚部４１Ａの前端部の下方に位置している。
【００６１】
左前縦フレーム材４３Ａ、右前縦フレーム材４４Ａ、左後縦フレーム材４５Ａ及び右後縦フレーム材４６Ａの各々は、例えば、金属製である。左前縦フレーム材４３Ａ、右前縦フレーム材４４Ａ、左後縦フレーム材４５Ａ及び右後縦フレーム材４６Ａは、それぞれ、第１棚部４１Ａの左前の隅部、右前の隅部、左後の隅部及び右後の隅部から上方に向かって突出している。
【００６２】
左前縦フレーム材４３Ａと右前縦フレーム材４４Ａとは、左右方向に間隔をあけて並んでおり、右前縦フレーム材４４Ａは、左前縦フレーム材４３Ａよりも右方に位置している。左前縦フレーム材４３Ａと左後縦フレーム材４５Ａとは前後方向に並んでおり、左後縦フレーム材４５Ａは、左前縦フレーム材４３Ａよりも後方に位置している。左後縦フレーム材４５Ａと右後縦フレーム材４６Ａとは、左右方向に間隔をあけて並んでおり、右後縦フレーム材４６Ａは、左後縦フレーム材４５Ａよりも右方に位置している。右前縦フレーム材４４Ａと右後縦フレーム材４６Ａとは、前後方向に間隔をあけて並んでおり、右後縦フレーム材４６Ａは、右前縦フレーム材４４Ａよりも後方に位置している。
【００６３】
箱状部８１Ａは、上方及び前方に開口した箱状に形成されている。箱状部８１Ａは、左右の側板部８２Ａ，８３Ａ、後板部８４Ａ及び複数の棚部４２Ａ，６３Ａを有している。左右の側板部８２Ａ，８３Ａは、左右方向に並んでおり、対向している。後板部８４Ａは、前後方向に見て左右方向に延びた矩形の板状に形成されている。後板部８４Ａは、左側の側板部８２Ａの後端部と、右側の側板部８３Ａの後端部とを接続している。
【００６４】
左右の側板部８２Ａ，８３Ａの間で、かつ、後板部８４Ａの前方には、複数の棚部４２Ａ，６３Ａが位置している。複数の棚部４２Ａ，６３Ａは、上下方向に間隔をあけて並んでいる。各棚部４２Ａ，６３Ａは、上下方向に見て左右方向に延びた矩形状で、かつ、水平面に沿って延びた板状に形成されている。各棚部４２Ａ，６３Ａは、左右の側板部８２Ａ，８３Ａを接続している。
【００６５】
本実施形態の箱状部８１Ａは、複数の棚部４２Ａ，６３Ａとして、第２棚部４２Ａと第３棚部６３Ａとの二つの棚部４２Ａ，６３Ａを有している。第３棚部６３Ａは、第２棚部４２Ａの上方に位置している。
【００６６】
第２棚部４２Ａは、各側板部８２Ａ，８３Ａの下端部と同レベルに位置している。第３棚部６３Ａは、各側板部８２Ａ，８３Ａの上下方向における中間部に位置している。箱状部８１Ａの下端部は、第２棚部４２Ａ、左側の側板部８２Ａの下端部、右側の側板部８３Ａの下端部及び後板部８４Ａの下端部で構成されている。
【００６７】
箱状部８１Ａの下端部（詳しくは、左右の側板部８２Ａ，８３Ａの下端部）には、左前縦フレーム材４３Ａの上端部、右前縦フレーム材４４Ａの上端部、左後縦フレーム材４５Ａの上端部及び右後縦フレーム材４６Ａの上端部が接続されている。
【００６８】
昇降棚４Ａは、複数の収納部７１Ａ〜７３Ａを有している。本実施形態の昇降棚４Ａは、複数の収納部７１Ａ〜７３Ａとして、第１収納部７１Ａ、第２収納部７２Ａ及び第３収納部７３Ａの三つの収納部７１Ａ〜７３Ａを有している。各収納部７１Ａ〜７３Ａには、調理器具、食器、食材等の物品９１を収納可能である。
【００６９】
第１収納部７１Ａは、第１棚部４１Ａ、左前縦フレーム材４３Ａ、右前縦フレーム材４４Ａ、左後縦フレーム材４５Ａ及び右後縦フレーム材４６Ａで構成されている。第２収納部７２Ａは、第２棚部４２Ａと、左右の側板部８２Ａ，８３Ａ及び後板部８４Ａにおいて第３棚部６３Ａよりも下方に位置した部分とで構成されている。第３収納部７３Ａは、第３棚部６３Ａと、左右の側板部８２Ａ，８３Ａ及び後板部８４Ａにおいて第３棚部６３Ａよりも上方に位置した部分で構成されている。
【００７０】
第１収納部７１Ａ、第２収納部７２Ａ及び第３収納部７３Ａの各々は、物品９１を収納可能な収納空間７１０Ａ，７２０Ａ，７３０Ａを有している。以下、第１収納部７１Ａの収納空間７１０Ａ、第２収納部７２Ａの収納空間７２０Ａ及び第３収納部７３Ａの収納空間７３０Ａを、それぞれ、第１収納空間７１０Ａ、第２収納空間７２０Ａ及び第３収納空間７３０Ａという。
【００７１】
第１収納空間７１０Ａは、第１棚部４１Ａ、第２棚部４２Ａ、左前縦フレーム材４３Ａ、右前縦フレーム材４４Ａ、左後縦フレーム材４５Ａ及び右後縦フレーム材４６Ａで囲まれた空間である。第１収納空間７１０Ａは、前後左右の四方が開放された空間である。すなわち、第１収納部７１Ａは、前方、後方、左方及び右方に開口している。
【００７２】
具体的に第１収納空間７１０Ａは、左前縦フレーム材４３Ａと右前縦フレーム材４４Ａとの間から前方に開放され、左後縦フレーム材４５Ａと右後縦フレーム材４６Ａとの間から後方に開放されている。また、第１収納空間７１０Ａは、左前縦フレーム材４３Ａと左後フレーム材４５Ａとの間から左方に開放されており、右前縦フレーム材４４Ａと右後縦フレーム材４６Ａとの間から右方に開放されている。
【００７３】
第２収納空間７２０Ａは、第２棚部４２Ａ、第３棚部６３Ａ、左右の側板部８２Ａ，８３Ａ及び後板部８４Ａで囲まれた空間であり、前方に開放されている。すなわち、第２収納部７２Ａは、前方に開口した凹部である。
【００７４】
第３収納空間７３０Ａは、第３棚部６３Ａ、左右の側板部８２Ａ，８３Ａ及び後板部８４Ａで囲まれた空間であり、前方及び上方に開放されている。すなわち、第３収納部７３Ａは、前方及び上方に開口した凹部である。
【００７５】
図５に示すように、昇降収納装置２Ａは、支持機構２０Ａを更に備えている。支持機構２０Ａは、収納ケース３Ａに取り付けられ、昇降棚４Ａを昇降可能に支持する。本実施形態の支持機構２０Ａは、収納ケース３Ａの左右の側板３２Ａ，３３Ａにそれぞれ取り付けられた一対の昇降ユニット２００Ａ，２０１Ａを有しており、昇降棚４Ａは、一対の昇降ユニット２００Ａ，２０１Ａの間に位置している。
【００７６】
各昇降ユニット２００Ａ，２０１Ａは、ベース２０２Ａと、リンク機構２０３Ａとを有している。ベース２０２Ａは、収納ケース３Ａの対応する側板３２Ａ，３３Ａの内面に取り付けられている。図７に示すようにリンク機構２０３Ａは、一対のリンク材２０４Ａ，２０５Ａを有した平行リンク機構である。各リンク材２０４Ａ，２０５Ａの一端部は、ベース２０２Ａに対して左右方向と平行な回転軸回りに回転可能に連結されており、各リンク材２０４Ａ，２０５Ａの他端部は、昇降棚４Ａの対応する側板部８２Ａ，８３Ａに回転可能に連結されている。
【００７７】
支持機構２０Ａで支持された昇降棚４Ａは、図７に実線で示すように収納ケース３Ａに収納された上限位置と、図７に二点鎖線で示すように収納ケース３Ａの前斜め下方に位置して収納ケース３Ａの外部に露出した下限位置とに移動可能である。この昇降棚４Ａの移動範囲は、上限位置から下限位置までの範囲に限られている。
【００７８】
利用者は、例えば、扉２６Ａ（図６参照）を開いた状態で、取手部８０Ａをつかんで昇降棚４Ａを動かすことにより、昇降棚４Ａを上限位置と、上限位置よりも下方の下限位置とに移動して、昇降棚４Ａを昇降させることができる。
【００７９】
昇降棚４Ａが図７に二点鎖線で示した下限位置に位置したとき、昇降棚４Ａは、収納ケース３Ａの前斜め下方に位置して、第１収納部７１Ａ、第２収納部７２Ａ及び第３収納部７３Ａが収納ケース３Ａの外部に露出する。このため、利用者は、第１収納部７１Ａ、第２収納部７２Ａ及び第３収納部７３Ａの各々に対して物品９１を出し入れすることが可能になる。
【００８０】
また、昇降棚４Ａが図７に実線で示した上限位置に位置したとき、第２収納部７２Ａ及び第３収納部７３Ａは、収納ケース３Ａに収納される。このため、利用者は、第２収納部７２Ａ及び第３収納部７３Ａの各々に収納された物品９１を収納ケース３Ａ内に収めることができる。また、この場合、扉２６Ａ（図５参照）を閉じることで、第２収納部７２Ａ及び第３収納部７３Ａの各々に収納された物品９１を隠すことができる。
【００８１】
また、昇降棚４Ａが上限位置に位置したとき、第１収納部７１Ａは収納ケース３Ａの下方において収納ケース３Ａの外部に露出する。このため、利用者は、昇降棚４Ａが上限位置に位置し、かつ、扉２６Ａが閉じた状態にあるときにも、第１収納部７１Ａに対して物品９１を出し入れすることができる。例えば、第１収納部７１Ａに頻繁に利用する調理器具等の物品９１を仮置き等することができて便利である。また、第１収納部７１Ａに収納された物品９１は、昇降棚４Ａが上限位置又は下限位置のいずれに位置したときでも、収納ケース３Ａの外部に露出する。このため、第１収納部７１Ａに見栄えの良い調理器具等の物品９１を置いてディスプレイすることもできる。
【００８２】
（変形例）
なお、上述した実施形態及び変形例の各々の厨房装置１及び昇降収納装置２，２Ａは、適宜設計変更可能である。
【００８３】
例えば、第１実施形態の昇降収納装置２は、収納ケース３に対する昇降棚４の上下方向の移動をガイドするレール等を更に備えてもよい。また、第１実施形態の支持機構２０を構成する昇降装置は、巻取りドラムを有するものに限られない。例えば、昇降装置は、昇降棚４に連結されたねじ棒等をモーターにより駆動することで、昇降棚４を昇降させる装置であってもよい。また、第１実施形態の支持機構２０は、電動の昇降装置に限られず、単に昇降棚４を上下動可能に支持する機構であってもよい。この場合、利用者は、手動により、昇降棚４を上限位置と下限位置とに昇降する。また、第１実施形態の操作機２１は、リモートコントローラーに限られず、例えば、収納ケース３又は昇降棚４に設けられた操作部２２等であってもよい。また、第２実施形態の支持機構２０Ａは、第１実施形態の支持機構２０のように、電力等を用いて昇降棚４Ａを昇降する昇降装置であってもよい。
【００８４】
また、第１実施形態の構造体４０は、前横フレーム材４７、後横フレーム材５０、左横フレーム材５３及び右横フレーム材５６の各々を一つだけ有してもよい。また、第２実施形態の棚部４１Ａ，４２Ａ，６３Ａの各々は、第１実施形態の棚部４１と同様、第１部分４１１及び第２部分４１２を有してもよい。
【００８５】
また、第２実施形態では、第２収納部７２Ａ及び第３収納部７３Ａの各々の左右の側面及び後面が、左右の側板部８２Ａ，８３Ａ及び後板部８４Ａでそれぞれ構成されており、開口していない。しかし、第２収納部７２Ａ及び第３収納部７３Ａの各々は、例えば、第１収納部７１Ａと同様に、前後左右が開放されるように、複数のフレーム材で構成されてもよい。
【００８６】
また、第１実施形態のカウンター設備１０は、床面とカウンター１２との間に空間が形成されたフロート型のカウンター設備であるが、例えば、床面上に設置されるキャビネットと、キャビネット上に設置されるカウンターとを備えた箱型のカウンター設備であってもよい。
【００８７】
また、第１実施形態の加熱調理機１３は、電気焜炉、ガスこんろ等であってもよい。また、カウンター設備１０は、加熱調理機１３を備えてなくてもよい。また、昇降収納装置２，２Ａは、厨房装置１の一部として、利用されなくてもよく、例えば、カウンター設備１０、換気装置１１等とは、別に設置されてもよい。
【００８８】
（態様）
以上説明した、実施形態及び変形例から明らかなように、第１の態様の昇降収納装置（２，２Ａ）は、以下に示す構成を有している。昇降収納装置（２，２Ａ）は、収納ケース（３，３Ａ）と、昇降棚（４，４Ａ）とを備えている。昇降棚（４，４Ａ）は、収納ケース（３，３Ａ）に収納された上限位置とこの上限位置よりも下方の下限位置とに移動可能である。昇降棚（４，４Ａ）は、収納部（７１，７１Ａ）を有している。収納部（７１，７１Ａ）は、前方に開口し、かつ、上限位置に位置した状態で収納ケース（３，３Ａ）よりも下方に位置する。
【００８９】
この態様によれば、昇降棚（４，４Ａ）が上限位置に位置したとき、収納部（７１，７１Ａ）が収納ケース（３，３Ａ）よりも下方に位置する。このため、昇降棚（４，４Ａ）の全体が収納ケース（３，３Ａ）に収納される場合と比較して、昇降棚（４，４Ａ）における物品（９１）を収納するためのスペースを大きくすることができる。また、収納部（７１，７１Ａ）には、頻繁に利用する調理器具等の物品（９１）を仮置き等することができて使い勝手がよい。
【００９０】
第２の態様の昇降収納装置（２，２Ａ）は、第１の態様との組み合わせにより実現され得る。第２の態様の昇降収納装置（２，２Ａ）の収納部（７１，７１Ａ）は、前方及び後方に開口している。
【００９１】
この態様によれば、収納部（７１，７１Ａ）が前方及び後方に開口しているため、収納部（７１，７１Ａ）が光を遮り難くなる。このため、窓（９０）から入った光が、収納部（７１，７１Ａ）を通って収納部（７１，７１Ａ）の前方に至るようにする等して、昇降収納装置（２，２Ａ）を設置した部屋を明るくすることができる。また、収納部（７１，７１Ａ）が前方のみ開口した場合と比較して、収納部（７１，７１Ａ）の通気性を良くすることもできる。
【００９２】
第３の態様の昇降収納装置（２，２Ａ）は、第２の態様との組み合わせにより実現され得る。第３の態様の昇降収納装置（２，２Ａ）は、以下の構成を有している。昇降棚（４，４Ａ）は、左前縦フレーム材（４３，４３Ａ）、右前縦フレーム材（４４，４４Ａ）、左後縦フレーム材（４５，４５Ａ）及び右後縦フレーム材（４６，４６Ａ）を有している。右前縦フレーム材（４４，４４Ａ）は、左前縦フレーム材（４３，４３Ａ）よりも右方に位置している。左後縦フレーム材（４５，４５Ａ）は、左前縦フレーム材（４３，４３Ａ）よりも後方に位置している。右後縦フレーム材（４６，４６Ａ）は、右前縦フレーム材（４４，４４Ａ）よりも後方に位置し、かつ、左後縦フレーム材（４５，４５Ａ）よりも右方に位置している。収納部（７１，７１Ａ）は、収納空間（７１０，７１０Ａ）を有している。収納空間（７１０，７１０Ａ）は、左前縦フレーム材（４３，４３Ａ）、右前縦フレーム材（４４，４４Ａ）、左後縦フレーム材（４５，４５Ａ）及び右後縦フレーム材（４６，４６Ａ）で囲まれた空間である。収納空間（７１０，７１０Ａ）は、左前縦フレーム材（４３，４３Ａ）と右前縦フレーム材（４４，４４Ａ）との間から前方に開放され、かつ、左後縦フレーム材（４５，４５Ａ）と右後縦フレーム材（４６，４６Ａ）との間から後方に開放されている。
【００９３】
この態様によれば、収納部（７１，７１Ａ）が、左前縦フレーム材（４３，４３Ａ）、右前縦フレーム材（４４，４４Ａ）、左後縦フレーム材（４５，４５Ａ）及び右後縦フレーム材（４６，４６Ａ）で囲まれた収納空間（７１０，７１０Ａ）を有する。このため、収納部（７１，７１Ａ）の強度を確保しつつ、収納空間（７１０，７１０Ａ）を前後左右の四方に開放する等し、収納部の通気性、透光性等を向上できる。
【符号の説明】
【００９４】
２，２Ａ  昇降収納装置
３，３Ａ  収納ケース
４，４Ａ  昇降棚
４３，４３Ａ  左前縦フレーム材
４４，４４Ａ  右前縦フレーム材
４５，４５Ａ  左後縦フレーム材
４６，４６Ａ  右後縦フレーム材
７１，７１Ａ  収納部
７１０，７１０Ａ  収納空間
【図１】
2020081474.tif 000003
【図２】
2020081474.tif 000004
【図３】
2020081474.tif 000005
【図４】
2020081474.tif 000006
【図５】
2020081474.tif 000007
【図６】
2020081474.tif 000008
【図７】
2020081474.tif 000009